【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
他の機器からの信号を受信する受信手段と、動作モードを制御する制御手段と、時間を計時する計時手段と、指針位置をユーザが所望の時刻に合わせるための針合わせ手段と、を有する電子時計であって、
前記制御手段は、前記受信手段が計時開始信号を受信すると、運針が禁止されて停止状態にある当該電子時計を計時動作モードに移行させることを特徴とする電子時計。
【請求項２】
請求項１記載の電子時計において、
さらに操作手段を設け、当該操作手段に対して予め定められた特定操作がされることにより、前記制御手段は計時動作を停止し、前記運針を禁止するとともに、当該電子時計を調整する調整モードに移行させることを特徴とする電子時計。
【請求項３】
請求項１記載の電子時計において、
前記計時手段は、指針と、コイルを有し前記指針を駆動するモータと、を備え、
前記受信手段は、前記コイルを介して前記計時開始信号を受信することを特徴とする電子時計。
【請求項４】
請求項３記載の電子時計において、
前記計時開始信号は、前記他の機器から電磁信号として送信されることを特徴とする電子時計。
【請求項５】
請求項１記載の電子時計において、
さらに操作手段を設け、当該操作手段に対して予め定められた特定操作がされることにより、前記制御手段が当該電子時計の計時動作を停止させ、前記運針を禁止させるとともに調整モード信号受信待機状態に移行させ、前記受信手段は前記他の機器である外部調整装置の調整モード信号および調整モード解除信号を受信し、
前記制御手段は、前記調整モード信号受信待機状態において前記受信手段が前記外部調整装置の前記調整モード信号を受信すると当該電子時計を調整モードに移行させ、当該調整モードにおいて前記受信手段が前記外部調整装置の前記調整モード解除信号を受信すると当該電子時計の計時動作を開始させることを特徴とする電子時計。
【請求項６】
請求項５記載の電子時計において、
前記制御手段は、前記調整モード信号受信待機状態において前記受信手段が前記外部調整装置の前記調整モード信号を受信し、且つ、前記操作手段において所定操作および前記所定操作と異なる他の所定操作がなされると当該電子時計を調整モードに移行させることを特徴とする電子時計。
【請求項７】
請求項６記載の電子時計において、
前記所定操作と前記他の所定操作との間に、前記針合わせ手段により指針位置を所望の時刻に合わせることが可能であることを特徴とする電子時計。
【請求項８】
請求項５記載の電子時計において、
前記計時手段は、指針と、コイルを有し前記指針を駆動するモータと、を備え、
前記受信手段は、前記外部調整装置から電磁信号として送信される前記調整モード信号あるいは前記調整モード解除信号を前記コイルを介して受信することを特徴とする電子時計。
【請求項９】
請求項５ないし請求項８のいずれかに記載の電子時計において、
前記調整モード信号受信待機状態の期間を一定期間に定めたことを特徴とする電子時計。
【請求項１０】
請求項５ないし請求項８のいずれかに記載の電子時計において、
前記電子時計は前記調整モード中に前記外部調整装置から歩度補正用の補正データを受信することを特徴とする電子時計。
【請求項１１】
請求項２または請求項５記載の電子時計において、
前記特定操作は、当該特定操作の開始から終了までが所定時間内に完了されることを要し、
前記所定時間をカウントするタイマ手段を備えたことを特徴とする電子時計。
【請求項１２】
請求項２または請求項５記載の電子時計において、
前記操作手段はリューズであることを特徴とする電子時計。
【請求項１３】
他の機器からの信号を受信する受信手段と、
動作モードを制御する制御手段と、
コイルを有するモータおよび前記モータにより駆動される指針が設けられ、時間を計時する計時手段と、
前記制御手段の制御下で歩度測定用パルスを生成する歩度測定パルス生成手段と、
前記コイルを介して前記歩度測定用パルスを外部に送信する送信手段と、
を備えたことを特徴とする電子時計。
【請求項１４】
請求項１３記載の電子時計において、
前記受信手段は前記他の機器である外部調整装置が前記歩度測定用パルスを受信することにより生成した補正データ信号を受信することを特徴とする電子時計。
【請求項１５】
請求項１４記載の電子時計において、
前記補正データ信号に対応する補正データを記憶する補正データ記憶手段と、
前記補正データ記憶手段に記憶された前記補正データに基づいて歩度調整を行う歩度調整手段と、
を備えたことを特徴とする電子時計。
【請求項１６】
外部の電子時計に対し、停止状態にある前記電子時計に計時動作を開始させるための計時開始信号を送信する計時開始信号送信手段を備えたことを特徴とする外部調整装置。
【請求項１７】
外部の電子時計に対し、前記電子時計を計時動作停止状態で各種調整を行うための調整モードに移行させるための調整モード信号および前記調整モードにある電子時計の計時動作を開始させるための調整モード解除信号を送信する調整モード制御信号送信手段を備えたことを特徴とする外部調整装置。
【請求項１８】
外部の電子時計から送信された歩度測定用パルスを受信する歩度測定用パルス受信手段と、
前記歩度測定用パルスに基づいて歩度測定を行う歩度測定手段と、
歩度測定の結果に基づいて歩度補正データを生成する補正データ生成手段と、
前記歩度補正データを補正データ信号として前記電子時計に対し送信する補正データ送信手段と、
を備えたことを特徴とする外部調整装置。
【請求項１９】
他の機器からの信号を受信する受信部と、動作モードを制御する制御部と、時間を計時する計時部と、指針位置をユーザが所望の時刻に合わせるための針合わせ部と、を有する電子時計の制御方法であって、
前記受信部が計時開始信号を受信すると運針が禁止されて停止状態にある当該電子時計に計時動作を開始させることを特徴とする電子時計の制御方法。
【請求項２０】
他の機器からの信号を受信する受信部と、動作モードを制御する制御部と、時間を計時する計時部とを有する電子時計の制御方法であって、
前記電子時計には、操作部が設けられており、
前記操作部に対して予め定められた特定操作がなされた場合に、前記電子時計の計時動作を停止させ、調整モード信号受信待機状態に移行させるとともに、前記調整モード信号受信待機状態にある場合に調整モード解除信号を受信すると計時動作を開始させることを特徴とする電子時計の制御方法。
【請求項２１】
外部の電子時計に対し、停止状態にある前記電子時計に計時動作を開始させるための計時開始信号を送信することを特徴とする外部調整装置の制御方法。
【請求項２２】
外部の電子時計に対し、前記電子時計を計時動作停止状態で各種調整を行うための調整モードに移行させるための調整モード信号および前記調整モードにある電子時計の計時動作を開始させるための調整モード解除信号を送信することを特徴とする外部調整装置の制御方法。
【請求項２３】
外部の電子時計から送信された歩度測定用パルスを受信し、前記歩度測定用パルスに基づいて歩度測定を行い、
歩度測定の結果に基づいて補正データ信号として前記電子時計に対し送信する、ことを特徴とする外部調整装置の制御方法。
【手続補正２】
【補正対象書類名】明細書
【補正対象項目名】００３２
【補正方法】変更
【補正の内容】
【００３２】
リセット回路２５は、ゲート回路、カウンタなどで構成され、チャタリング防止回路を含むとともに、リューズスイッチ（リセットスイッチ）２４が操作されたことを検出して、分周回路１２、モード制御回路２２およびタイマ２３のリセット処理を行うものである。
また、針合わせ部５０は、リューズ、針合わせ輪列などにより構成され、指針位置をユーザが所望の時刻に合わせるものであり、リューズスイッチ２４は針合わせ部５０の操作に連動してＯＮ／ＯＦＦされることとなる。


【手続補正３】
【補正対象書類名】明細書
【補正対象項目名】００３７
【補正方法】変更
【補正の内容】
【００３７】
次に、図３のタイミングチャートを参照して、本発明の第１の実施の形態に係るアナログ電子時計の時刻合わせ工程についてより具体的に説明する。
時刻合わせの工程において、作業者は先ず、秒針が０秒位置に至った瞬間に針合わせ部５０のリューズを引きリューズスイッチ２４をＯＮ状態とし、針合わせ部５０のリューズを押し込みリューズスイッチ２４をＯＦＦ状態とする操作を連続して３回繰り返す。その結果、図３（ｄ）に示すようなリューズ信号が発生する。
この際、最初に針合わせ部５０においてリューズを引いてリューズスイッチ２４がＯＮ状態になった時刻ｔ１に同期して分周回路１２、モード制御回路御２２、タイマ２３はリセット回路２５により初期状態にリセットされ、図３（ｃ）に示すようにＥＮＡＢＬＥ信号が立ち上がり所定時間（この例では時刻ｔ３まで１秒間）"Ｈ"レベルを維持する。
そして、３回目のリューズの押し込み（リューズスイッチ２４のＯＦＦ操作）の時刻ｔ２がＥＮＡＢＬＥ信号の立下り時刻ｔ３より早ければアナログ電子時計１０は時刻ｔ２に同期して図３（ｅ）に示すように調整モードとなる。この場合、仮に時刻ｔ２がＥＮＡＢＬＥ信号の立下り時刻ｔ３より遅ければアナログ電子時計１０は調整モードとなることなく、処理を終了し通常の計時動作に戻る。


【手続補正４】
【補正対象書類名】明細書
【補正対象項目名】００４０
【補正方法】変更
【補正の内容】
【００４０】
すなわち、作業者は先ず、秒針が０秒位置に至った瞬間に針合わせ部５０においてリューズを引き、リューズスイッチ２４をＯＮ状態とするとともに、秒針を０秒位置に停止させる（時刻ｔ１）。
次に、アナログ電子時計１０のリューズスイッチ２４の状態がＯＦＦ／ＯＮ／ＯＦＦ／ＯＮ／ＯＦＦとＯＦＦ状態が３回出現するように針合わせ部５０のリューズを操作する。そして、リューズスイッチ２４の３回のＯＦＦ操作が１秒以内に行われたか否かを判定する。
このとき最初のＯＦＦ操作（時刻ｔ１´）に同期してタイマ２３はモード制御回路のＥＮＡＢＬＥ信号を時刻ｔ１´から時刻ｔ３´までの１秒間"Ｈ"レベルに設定する。そして、この１秒以内に３回のＯＦＦ操作が行われた場合、アナログ電子時計１０は調整モードとなる。


【手続補正５】
【補正対象書類名】明細書
【補正対象項目名】００４３
【補正方法】変更
【補正の内容】
【００４３】
また、データ制御回路２７はゲート回路、ラッチ回路などで構成され、後述する外部調整装置３０´から送信された補正データ信号をモータコイル１５、受信回路２１を介して取得し、モード制御回路２２の管理のもとで補正データに変換して記憶回路２８に出力する。そして、記憶回路２８はＥＥＰＲＯＭなどの不揮発性メモリでありこの補正データを記憶する。歩度調整回路２９は、記憶回路２８に記憶されている補正データに基づいて分周回路１２を制御し、歩度調整を行うものである。
図６は本発明の第２の施形態において用いられる外部調整装置３０´の構成を示すブロック図である。図６に示す外部調整装置３０´において、先に図２を参照して説明した第１の実施形態に係る外部調整装置３０と同様の部分には、同一の符号を付して一部説明を省略する。


【手続補正６】
【補正対象書類名】明細書
【補正対象項目名】００４６
【補正方法】変更
【補正の内容】
【００４６】
そして、この調整モード信号の受信待機状態に外部調整装置３０´から調整モード信号を受信（ステップ３がＹ）すると、ステップ４へ進む。
次に、ステップ１で針合わせ部５０においてリューズが引かれてから（リューズスイッチ２４がＯＮ状態となってから）一定期間内に調整信号を受信したか否かが判定される（ステップＳ４）。
ステップ４がＹであればステップＳ５へ進む。
ステップＳ４がＹの場合、針合わせ部５０においてリューズが押し込まれリューズスイッチ２４がオフ状態なると（ステップＳ５）、アナログ電子時計１０´は、調整モードに移行する（ステップＳ６）。
この場合において、通常のアナログ電子時計は針合わせ部５０においてリューズを押し込むと分周回路が初期化され、１秒後からモータ駆動パルスを出力し運針を開始するが、本実施の形態に係るアナログ電子時計１０´では、一度調整モードに移行すると、再度針合わせ部５０においてリューズを引いたり、押し込んだりしてもモータ駆動パルスの出力は再開されず、調整モードが維持される。なお、先にステップＳ２で行った時針と分針を所定の時刻に合わせる操作は、この調整モードに移行してから行ってもよい。


【手続補正７】
【補正対象書類名】明細書
【補正対象項目名】００５０
【補正方法】変更
【補正の内容】
【００５０】
ここで、図７（ｄ）に示すＥＮＡＢＬＥ信号は所定時間（この例では時刻ｔ２まで１秒間）"Ｈ"レベルを維持し、この期間アナログ電子時計１０´は外部調整装置３０´からの調整モード信号の受信待機状態に移行する。
そして、この調整モード信号の受信待機状態において、外部調整装置３０´のモード信号生成回路３３で生成され送信回路３４、コイル３５を介して送信された調整モード信号（図７（ｃ）参照）をアナログ電子時計１０´がモータコイル１５、受信回路２１を介して受信し、その後針合わせ部５０において、リューズが時刻ｔ３に押し込まれると（リューズスイッチ２４がオフ状態となると）、アナログ電子時計１０´は調整モードに移行する（図７（ｆ）参照）。
アナログ電子時計１０´は、調整モードに移行するとモード制御回路２２の指令によって歩度測定パルス生成回路２６は、分周回路１２が現在生成している基準パルス信号より歩度測定パルスを生成して、駆動パルス生成回路１３、モータドライバ１４、モータコイル１５を介して外部調整装置３０´に一定時間送信する（図７（ａ）参照）。なお、ここで、歩度測定パルスはモータが回転しない程度の短いパルス（例えば０．２４４ｍｓｅｃ）であり、その周期は発振回路１１の発振周波数に比例したものである。


【手続補正８】
【補正対象書類名】明細書
【補正対象項目名】００５１
【補正方法】変更
【補正の内容】
【００５１】
外部調整装置３０´は、この歩度測定パルスをコイル３５を介して受信回路３７で受信し、歩度測定回路３８へ出力する。歩度測定回路３８はこの歩度測定パルスを測定し正確な歩度パルスと比較し誤差信号を補正データ生成回路３９へ出力する。
補正データ生成回路３９はこの誤差データに基づき制御回路３２による制御の下、歩度補正データの生成を行い、補正データ信号生成回路４０へ出力する。そして、補正データ信号生成回路４０は、生成された歩度補正データに基づいて送信に用いられる補正データ信号を生成し送信回路３４へ出力する。
送信回路３４は、補正データ信号をコイル３５を介してアナログ電子時計１０´に送信する。アナログ電子時計１０´はモータコイル１５を介して受信回路２１でこの補正データ信号を受信し（図７（ｃ）参照）、データ制御回路２７へ出力する。そして、データ制御回路２７はモード制御回路２２の管理のもとで記憶回路２８に補正データを書き込む。
歩度調整回路２９は、記憶回路２８に記憶されている補正データに基づいて分周回路１２を制御し、歩度調整を行う。